【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
ぶれ補正機能を備えた画像処理装置であって、
外部装置と接続する接続手段と、
所定の形式で記録された動画像データの再生指示に基づいて、当該動画像データを構成する複数の画像フレームを動画再生の速度および順番に対応させて逐次取得する画像フレーム取得手段と、
前記画像フレーム取得手段により取得される前記画像フレームの各々の動き補償情報を、前記動画再生の速度および順番に対応させて逐次取得する動き補償情報取得手段と、
前記動き補償情報取得手段により取得された前記動き補償情報に基づいて、前記画像フレーム取得手段により取得される前記画像フレームに対してぶれ補正を逐次施すぶれ補正手段と、
前記ぶれ補正手段によりぶれ補正が施された前記画像フレームを前記接続手段に接続された外部装置に対して逐次出力する外部出力手段と、
を備えることを特徴とする画像処理装置。
【請求項２】
前記接続手段は、動画像を表示する機能を備えた外部装置の映像入力ラインと接続し、
前記外部出力手段は、手ぶれ補正後の前記画像フレームを前記外部装置の映像信号の入力仕様に応じた形態に変更して出力することを特徴とする請求項１に記載の画像処理装置。
【請求項３】
前記ぶれ補正手段によりぶれ補正が施された各画像フレームは、前記外部出力手段により外部装置に出力された後、保存することなく逐次破棄していくことを特徴とする請求項１に記載の画像処理装置。
【請求項４】
前記動画像データを記録する内蔵記録部を備え、
前記画像フレーム取得手段は、前記内蔵記録部に記録された動画像データの再生が指示された場合は、この内蔵記録部より、前記動画像データを構成する前記複数の画像フレームを逐次取得することを特徴とする請求項１に記載の画像処理装置。
【請求項５】
着脱自在な外部記録媒体からデータを読み取る記憶媒体読取装置を備え、
前記画像フレーム取得手段は、外部記録媒体に記録された動画像データの再生が指示された場合は、前記記憶媒体読取装置に装着された外部記録媒体より、前記動画像データを構成する前記複数の画像フレームを逐次取得することを特徴とする請求項１に記載の画像処理装置。
【請求項６】
第２の外部装置と接続する第２接続手段を備え、
前記画像フレーム取得手段は、さらに、前記第２接続手段を介して接続された前記第２の外部装置より前記動画像データを構成する前記複数の画像フレームを取得することを特徴とする請求項１に記載の画像処理装置。
【請求項７】
前記動画像データは、動き補償を行う情報圧縮方式により符号化された複数の符号化画像フレームを含んでなる符号化動画像データであり、
前記画像フレーム取得手段は、前記複数の符号化画像フレームを復号化して前記画像フレームの各々を取得し、
前記動き補償情報取得手段は、前記符号化動画像データの符号化の際に生成された前記動き補償情報を取得することを特徴とする請求項１〜６に記載の画像処理装置。
【請求項８】
前記動画像を表示する内蔵表示部と、
前記内蔵表示部及び前記外部装置の各々に表示される動画像の表示倍率を個別に変更する表示倍率変更手段と、を備えることを特徴とする請求項１〜７に記載の画像処理装置。
【請求項９】
前記ぶれ補正手段により手ぶれ補正が施された複数の前記画像フレームを符号化して符号化動画像データを生成する符号化手段を備え、
前記外部出力手段は、前記符号化手段により生成された前記符号化動画像データを前記外部装置に出力することを特徴とする請求項１に記載の画像処理装置。
【請求項１０】
着脱自在な外部記録媒体にデータを書き込む記憶媒体書込装置を備え、
前記外部出力手段は、前記符号化手段により生成された前記符号化動画像データを前記記憶媒体書込装置を介して前記外部記録媒体に書き込むことを特徴とする請求項１に記載の画像処理装置。
【請求項１１】
ぶれ補正機能を備えた画像処理装置の制御方法であって、
所定の形式で記録された動画像データの再生指示に基づいて、当該動画像データを構成する複数の画像フレームを動画再生の速度および順番に対応させて逐次取得していく画像フレーム取得処理と、
前記画像フレーム取得処理により取得される前記画像フレームの各々の動き補償情報を、前記動画再生の速度および順番に対応させて逐次取得する動き補償情報取得処理と、
前記動き補償情報取得処理により取得される前記動き補償情報に基づいて、前記画像フレーム取得処理により取得される前記画像フレームに対してぶれ補正を逐次施すぶれ補正処理と、
前記ぶれ補正処理によりぶれ補正が施された前記画像フレームを外部装置に対して逐次出力していく外部出力処理と、
を実行することを特徴とする制御方法。
【請求項１２】
ぶれ補正機能を備えた画像処理装置の有するコンピュータを、
外部装置と接続する接続手段と、
所定の形式で記録された動画像データの再生指示に基づいて、当該動画像データを構成する複数の画像フレームを動画再生の速度および順番に対応させて逐次取得する画像フレーム取得手段と、
前記画像フレーム取得手段により取得される前記画像フレームの各々の動き補償情報を、前記動画再生の速度および順番に対応させて逐次取得する動き補償情報取得手段と、
前記動き補償情報取得手段により取得された前記動き補償情報に基づいて、前記画像フレーム取得手段により取得される前記画像フレームに対してぶれ補正を逐次施すぶれ補正手段と、
前記ぶれ補正手段によりぶれ補正が施された前記画像フレームを前記接続手段に接続された外部装置に対して逐次出力する外部出力手段と、
して機能させることを特徴とするプログラム。
【手続補正２】
【補正対象書類名】明細書
【補正対象項目名】発明の名称
【補正方法】変更
【補正の内容】
【発明の名称】画像処理装置、制御方法及びプログラム
【手続補正３】
【補正対象書類名】明細書
【補正対象項目名】０００１
【補正方法】変更
【補正の内容】
【０００１】
本発明は、外部表示装置に出力される動画像の手ぶれを補正する画像処理装置、制御方法及びプログラムに関する。
【手続補正４】
【補正対象書類名】明細書
【補正対象項目名】０００４
【補正方法】変更
【補正の内容】
【０００４】
そこで、本発明の課題は、外部表示装置に対して出力される動画像の手ぶれ補正処理を好適に行うことができる画像処理装置、制御方法及びプログラムを提供することである。
【手続補正５】
【補正対象書類名】明細書
【補正対象項目名】０００５
【補正方法】変更
【補正の内容】
【０００５】
請求項１に記載の発明は、
ぶれ補正機能を備えた画像処理装置（例えば、図１の撮像装置１００等）であって、
外部装置と接続する接続手段と、
所定の形式で記録された動画像データの再生指示に基づいて、当該動画像データを構成する複数の画像フレーム（例えば、図２の画像フレームＦ等）を動画再生の速度および順番に対応させて逐次取得する画像フレーム取得手段（例えば、図１の復号部５等）と、
前記画像フレーム取得手段により取得される前記画像フレームの各々の動き補償情報を、前記動画再生の速度および順番に対応させて逐次取得する動き補償情報取得手段（例えば、図１のぶれ量計算部１０Ｃ等）と、
前記動き補償情報取得手段により取得された前記動き補償情報に基づいて、前記画像フレーム取得手段により取得される前記画像フレームに対してぶれ補正を逐次施すぶれ補正手段（例えば、図１の表示領域設定部１０Ｅ等）と、
前記ぶれ補正手段によりぶれ補正が施された前記画像フレームを前記接続手段に接続された外部装置に対して逐次出力する外部出力手段（例えば、図１の第二表示処理部８等）と、
を備えることを特徴としている。
【手続補正６】
【補正対象書類名】明細書
【補正対象項目名】０００６
【補正方法】変更
【補正の内容】
【０００６】
請求項２に記載の発明は、請求項１に記載の画像処理装置において、
前記接続手段は、動画像を表示する機能を備えた外部装置の映像入力ラインと接続し、
前記外部出力手段は、手ぶれ補正後の前記画像フレームを前記外部装置の映像信号の入力仕様に応じた形態に変更して出力することを特徴としている。
請求項３に記載の発明は、請求項１に記載の画像処理装置において、
前記ぶれ補正手段によりぶれ補正が施された各画像フレームは、前記外部出力手段により外部装置に出力された後、保存することなく逐次破棄していくことを特徴としている。
請求項４に記載の発明は、請求項１に記載の画像処理装置において、
前記動画像情報を記録する内蔵記録部（例えば、図１の内蔵記録部３等）を備え、
前記画像フレーム取得手段は、前記内蔵記録部に記録された動画像データの再生が指示された場合は、この内蔵記録部より、前記動画像データを構成する前記複数の画像フレームを逐次取得することを特徴としている。
【手続補正７】
【補正対象書類名】明細書
【補正対象項目名】０００７
【補正方法】変更
【補正の内容】
【０００７】
請求項５に記載の発明は、請求項１に記載の画像処理装置において、
着脱自在な外部記録媒体からデータを読み取る記憶媒体読取装置を備え、
前記画像フレーム取得手段は、外部記録媒体に記録された動画像データの再生が指示された場合は、前記記憶媒体読取装置に装着された外部記録媒体より、前記動画像データを構成する前記複数の画像フレームを逐次取得することを特徴としている。
【手続補正８】
【補正対象書類名】明細書
【補正対象項目名】０００８
【補正方法】変更
【補正の内容】
【０００８】
請求項６に記載の発明は、請求項１に記載の画像処理装置において、
第２の外部装置と接続する第２接続手段を備え、
前記画像フレーム取得手段は、さらに、前記第２接続手段を介して接続された前記第２の外部装置より前記動画像データを構成する前記複数の画像フレームを取得することを特徴としている。
【手続補正９】
【補正対象書類名】明細書
【補正対象項目名】０００９
【補正方法】変更
【補正の内容】
【０００９】
請求項７に記載の発明は、請求項１〜６の何れか一項に記載の画像処理装置において、
前記動画像データは、動き補償を行う情報圧縮方式により符号化された複数の符号化画像フレームを含んでなる符号化動画像データであり、
前記画像フレーム取得手段は、前記複数の符号化画像フレームを復号化して前記画像フ
レームの各々を取得し、
前記動き補償情報取得手段は、前記符号化動画像データの符号化の際に生成された前記動き補償情報を取得することを特徴としている。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
請求項８に記載の発明は、請求項１〜７の何れか一項に記載の画像処理装置において、
前記動画像を表示する内蔵表示部（例えば、図６の内蔵表示部７等）と、
前記内蔵表示部及び前記外部表示装置の各々に表示される動画像の表示倍率を個別に変更する表示倍率変更手段（例えば、図６の第一表示領域設定部２１０Ｅ及び第二表示領域設定部２１０Ｆ等）と、を備えることを特徴としている。
【手続補正１２】
【補正対象書類名】明細書
【補正対象項目名】００１２
【補正方法】変更
【補正の内容】
【００１２】
請求項９に記載の発明は、請求項１に記載の画像処理装置において、
前記ぶれ補正手段により手ぶれ補正が施された複数の前記画像フレームを符号化して符号化動画像データを生成する符号化手段（例えば、図７の符号化部２等）を備え、
前記外部出力手段は、前記符号化手段により生成された前記符号化動画像データを前記外部装置に出力することを特徴としている。
【手続補正１３】
【補正対象書類名】明細書
【補正対象項目名】００１３
【補正方法】変更
【補正の内容】
【００１３】
請求項１０に記載の発明は、請求項１に記載の画像処理装置において、
着脱自在な外部記録媒体にデータを書き込む記憶媒体書込装置を備え、
前記外部出力手段は、前記符号化手段により生成された前記符号化動画像データを前記記憶媒体書込装置を介して前記外部記録媒体に書き込むことを特徴としている。
【手続補正１４】
【補正対象書類名】明細書
【補正対象項目名】００１４
【補正方法】変更
【補正の内容】
【００１４】
請求項１１に記載の発明は、ぶれ補正機能を備えた画像処理装置の制御方法であって、
所定の形式で記録された動画像データの再生指示に基づいて、当該動画像データを構成する複数の画像フレームを動画再生の速度および順番に対応させて逐次取得していく画像フレーム取得処理と、
前記画像フレーム取得処理により取得される前記画像フレームの各々の動き補償情報を、前記動画再生の速度および順番に対応させて逐次取得する動き補償情報取得処理と、
前記動き補償情報取得処理により取得される前記動き補償情報に基づいて、前記画像フレーム取得処理により取得される前記画像フレームに対してぶれ補正を逐次施すぶれ補正処理と、
前記ぶれ補正処理によりぶれ補正が施された前記画像フレームを外部装置に対して逐次出力していく外部出力処理と、
を実行することを特徴としている。
【手続補正１５】
【補正対象書類名】明細書
【補正対象項目名】００１５
【補正方法】変更
【補正の内容】
【００１５】
請求項１２に記載の発明のプログラムは、ぶれ補正機能を備えた画像処理装置の有するコンピュータを、
外部装置と接続する接続手段と、
所定の形式で記録された動画像データの再生指示に基づいて、当該動画像データを構成する複数の画像フレームを動画再生の速度および順番に対応させて逐次取得する画像フレーム取得手段と、
前記画像フレーム取得手段により取得される前記画像フレームの各々の動き補償情報を、前記動画再生の速度および順番に対応させて逐次取得する動き補償情報取得手段と、
前記動き補償情報取得手段により取得された前記動き補償情報に基づいて、前記画像フレーム取得手段により取得される前記画像フレームに対してぶれ補正を逐次施すぶれ補正手段と、
前記ぶれ補正手段によりぶれ補正が施された前記画像フレームを前記接続手段に接続された外部装置に対して逐次出力する外部出力手段と、
して機能させることを特徴としている。
【手続補正１６】
【補正対象書類名】明細書
【補正対象項目名】００１６
【補正方法】変更
【補正の内容】
【００１６】
本発明によれば、動画再生の速度および順番に対応させて逐次取得される複数の画像フレームの各々に対して、この動画再生の速度および順番に対応させて逐次動き補償情報を取得しながらぶれ補正を施すとともに、ぶれ補正が施された画像フレームを外部装置に対して逐次出力することができるので、ぶれ補正が十分に行われずに記録された動画像であっても、外部装置に対して再生出力する場合に、動画再生の速度および順番に対応させてリアルタイムにぶれ補正処理を行いながら出力することができる。
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２６
【補正方法】削除
【補正の内容】